(57)【特許請求の範囲】
【請求項１】
こて先の温度設定値と該こて先の温度検出値との比較に基づいて該こて先の温度が前記温度設定値となるように加熱手段が制御されるハンダごて装置において、
前記温度設定値、当該温度設定値を保持するキーロック設定と当該キーロック設定の解除に関する暗証番号を入力する数値入力スイッチと、
前記キーロック設定とその解除を切り換えるキーロックスイッチと、
前記温度設定値、前記暗証番号及び前記キーロック設定の設定状態を記憶する電気的書き込み消去可能メモリと、
キーロック設定の設定状態において、前記キーロックスイッチからキーロック設定の解除が要求され、かつ、数値入力スイッチから暗証番号が入力されると、当該暗証番号が電気的書き込み消去可能メモリに記憶された暗証番号と一致する場合にのみキーロック設定を解除する一方、キーロック設定の解除状態において、前記キーロックスイッチからキーロック設定の要求され、かつ、数値入力スイッチから暗証番号が入力されると、当該暗証番号が電気的書き込み消去可能メモリに記憶された暗証番号と一致する場合にのみキーロック設定の設定状態とする温度制御手段と
を具備することを特徴とするハンダごて装置。
【発明の詳細な説明】
【０００１】
【発明の属する技術分野】
本発明はハンダごて装置に係わり、特に製造ラインにおけるハンダ付け作業に用いて好適なハンダごて装置に関する。
【０００２】
【従来の技術及び発明が解決しようとする課題】
ハンダごて装置として、こて先の温度設定を可変できるものがある。この種のハンダごて装置は、こて先の温度を任意に設定することが可能であるため、これをハンダ付けを行う製造ラインに用いた場合、製造ラインで作業する作業員は個々の使い勝手に合わせてこて先温度を設定する自由を有するために、ハンダ付け作業の温度管理を十分に行うことができなかった。このため、ハンダ付け品質にバラツキが生じ品質の一定したハンダ付け作業を実現することが困難であるという問題点があった。
【０００３】
本発明は、上述する問題点に鑑みてなされたもので、勝手に温度設定値を変更することができないハンダごて装置を提供することを目的としている。
【０００４】
【課題を解決するための手段】
上記目的を達成するために、第１の手段として、こて先の温度設定値と該こて先の温度検出値との比較に基づいて、該こて先の温度が温度設定値となるように加熱手段が制御されるハンダごて装置において、温度設定値を保持する保持手段を備えるという手段が採用される。
【０００５】
第２の手段として、上記第１の手段において、入力されたパスワードを予め記憶されたパスワードと照合することにより温度設定値の保持および保持の解除を行う保持手段を備えるという手段が採用される。
【０００６】
第３の手段として、上記第２の手段において、パスワードを記憶する書き込みおよび消去可能なメモリを備えるという手段が採用される。
【０００７】
第４の手段として、上記第１ないし第３いずれかの手段において、温度設定値の保持状態を示す表示手段を具備するという手段が採用される。
【０００８】
第５の手段として、こて先の温度設定値と該こて先の温度検出値との比較に基づいて該こて先の温度が前記温度設定値となるように加熱手段が制御されるハンダごて装置において、該こて先の温度が温度設定値となるように加熱手段が制御されるハンダごて装置において、加熱手段を制御するとともに、操作手段から入力されたパスワードがメモリに予め記憶されたパスワードと一致したことを検出すると温度設定値の保持および保持の解除を行う温度制御手段を具備するという手段が採用される。
【０００９】
【発明の実施の形態】
以下、図１ないし図４を参照して、本発明に係わるハンダごて装置の一実施形態について説明する。
【００１０】
図１は、本実施形態の構成を示す回路図である。この図において、符号１はワンチップマイコン（保持手段・温度制御手段）であり、内部に設けられたＲＯＭ（読み出し専用メモリ）に記憶された制御プログラムに従って、以下に説明する各構成要素の動作を制御する。このワンチップマイコン１としては、各種入出力インターフェースを備えたもの汎用品が適用される。
【００１１】
当該ハンダごて装置はハンダごて部と操作ボックスによって構成され、符号２はハンダごて部に設けられたこて先（被加熱部）を示しており、該こて先２を加熱するヒータ（加熱手段）３とその加熱温度を電気信号として検出する温度センサ４とが設けられる。符号５は商用電源を低圧する電源トランスであり、上記ワンチップマイコン１によってＯＮ／ＯＦＦが制御されるサイリスタ６と直列接続されたヒータ３は該電源トランス５の二次巻線の両端に接続され、例えば２４Ｖrmsの交流電圧が印加される。また、該二次巻線の一端はゼロクロス検出器７に入力され、該ゼロクロス検出器７は電源トランス５から入力された交流電圧のゼロクロス位置を検出して上記ワンチップマイコン１に出力する。上記サイリスタ６は、該ゼロクロス検出器７の出力に基づいて制御される。
【００１２】
電源トランス５の二次巻線の両端はさらに電源回路８に接続され、該電源回路８は電源トランス５から入力された交流電圧を整流し、例えば±５Ｖおよび＋３Ｖ等の直流電源電圧を出力する。上記温度センサ４は増幅器９に接続され、該増幅器９は温度センサ４から出力された上記電気信号を増幅してマルチプレクサ１０の一方の選択端子に出力する。
【００１３】
一方、該マルチプレクサ１０の他方の選択端子には、サーミスタ１２の出力が増幅器１１によって増幅されて入力されるようになっており、マルチプレクサ１０はワンチップマイコン１の出力に基づいて温度センサ４の出力あるいはサーミスタ１２の出力を択一的にＡ／Ｄコンバータ（アナログ／デジタル変換器）１３に出力する。Ａ／Ｄコンバータ１３は、アナログ信号である入力信号をデジタル信号に変換してワンチップマイコン１に出力する。
【００１４】
符号１４はスイッチであり、ワンチップマイコン１の出力に基づいてブザー１５に供給する電源電圧を＋５Ｖと＋３Ｖのいずれかに切り換えることによって該ブザー１５の音量を制御するものである。なお、ブザー１５は、バッファアンプ１６を介してワンチップマイコン１から入力された信号に基づいて発音が制御される。
【００１５】
符号１７は上記操作ボックスの設けられる操作パネルであり、複数の表示器（表示手段）１８と操作スイッチ（操作手段）１９によって構成される。表示器１８の各操作端子はバッファ２０を介してワンチップマイコン１に接続されるとともに、共通端子はトランジスタ２１のコレクタ端子に接続される。また、トランジスタ２１の各ベース端子はワンチップマイコン１に接続され、該ワンチップマイコン１の出力に基づいて例えば＋５Ｖの電源電圧を各表示器１８の共通端子に供給するようになっている。また、操作スイッチ１９は、上記各コレクタ端子とワンチップマイコン１との間に介挿され、その操作がワンチップマイコン１に入力されるようになっている。
【００１６】
図２は、上記操作パネル１７の構成を示す平面図である。この図において、符号１９ａは、こて先２の温度設定値、該温度設定値を保持（キーロック設定）あるいはキーロック設定の解除を行う暗証番号（パスワード）等を入力する数値入力スイッチであり、該数値入力スイッチ１９ａから入力された数値は設定数値表示器１８ａに表示される。１９ｂは設定数値表示器１８ａに表示される数値の桁移動を操作する表示桁移動スイッチ、１９ｃは数値入力スイッチ１９ａから入力される数値の入力モードを切り換えるパラメータ切換スイッチ、１９ｄは上記キーロック設定および解除を切り換えるキーロックスイッチである。該キーロックスイッチ１９ｄが操作されて当該ハンダごて装置がキーロック設定状態とされると、キーロック設定ランプ１８ｂが点灯するようになっている。
【００１７】
符号１８ｃは上記温度センサ４によって検出されたこて先２の測定温度を表示する測定温度表示器、１８ｄは上記ヒータ３への通電時に点灯されるヒータ通電ランプ、１８ｅは上記温度設定値に対して測定温度が数値入力スイッチ１９ａによって設定された範囲を逸脱した場合あるいは該範囲内にある場合に点滅するアラームランプ、１８ｆは当該ハンダごて装置の動作モードがオートチューニングモードに設定されている場合に点灯するオートチューニングランプ、１８ｇは当該ハンダごて装置の動作モードがスリープモードに設定されている場合に点灯するスリープランプである。また、当該ハンダごて装置は一定時間に亘って使用しない場合に自動的に小電力状態（スリープ動作状態）となるように構成されており、符号１８ｈは該スリープ動作状態となると点灯するスリープ動作ランプである。
【００１８】
さらに、図１において、符号２２は発振回路であり、ワンチップマイコン１の基本クロックを発生する。符号２３はリセットスイッチであり、ワンチップマイコン１を初期化するためのものである。
【００１９】
符号２４はＥＥＰＲＯＭ（電気的書き込み消去可能メモリ）であり、上記数値入力スイッチ１９ａから入力された温度設定値およびキーロック設定および解除を行う上記暗証番号等を記憶する。また、該ＥＥＰＲＯＭ２４は、上記キーロックスイッチ１９ｄによるキーロックの設定状態等、当該ハンダごて装置の設定状態をも記憶するように構成されている。
【００２０】
次に、図３及び図４に示すフローチャートに沿って、上記ワンチップマイコン１におけるキーロックの設定および解除の動作を説明する。
【００２１】
電源が投入されると、ワンチップマイコン１は、ＥＥＰＲＯＭ２４に記憶保存されているデータに基づいてキーロック状態すなわち前回の使用時にキーロックが設定されか否かを判断する（ステップＳ1）。
【００２２】
ここで、ワンチップマイコン１は、キーロック設定状態ではＥＥＰＲＯＭ２４に記憶された温度設定値と上記温度センサ４によって検出されるこて先２の温度とを比較し、こて先２の温度が温度設定値に一定の許容範囲内で追従するようにヒータ３の通電制御を行う。また、キーロック設定状態では、上記数値入力スイッチ１９ａを操作して温度設定値を変更しようとしてもワンチップマイコン１はこの操作を受け付けず、こて先２の運度はＥＥＰＲＯＭ２４に予め記憶された温度設定値に基づいて制御される。
【００２３】
いま、ステップＳ1における判断が「ＹＥＳ」の場合、数値入力スイッチ１９ａからキーロック解除を要求する操作がなされたか否かが判断され（ステップＳ2）、この判断が「ＹＥＳ」でありさらに上記数値入力スイッチ１９ａからパスワードが入力されると（ステップＳ3）、当該パスワードの照合を要求する操作がなされたか否かが判断され（ステップＳ4）、この判断が「ＮＯ」の場合には上記パスワードの入力操作を待って待機する状態となり、「ＹＥＳ」の場合にはパスワードの判定が行われる（ステップＳ5）。
【００２４】
ここで、パスワードは例えば３桁の数値であり、パスワードの判定処理においては、数値入力スイッチ１９ａから新たに入力された数値と該数値入力スイッチ１９ａによって予め入力されＥＥＰＲＯＭ２４に記憶された数値とが各桁毎に比較されて照合される。そして、新たに入力された数値が正規のパスワードであるか否かが判断され（ステップＳ6）、「ＹＥＳ」の場合にはキーロック設定が解除される（ステップＳ7）。この場合、当該ハンダごて装置を取り扱う作業者は、数値入力スイッチ１９ａから新たに温度設定値を入力し、こて先２の温度を変更することができる。
【００２５】
ステップＳ7においてキーロック設定が解除あるいは上記ステップＳ1における判断が「ＮＯ」の場合には、ＥＥＰＲＯＭ２４に予め記憶された温度設定値の変更を要求する操作がなされたか否かが判断され（ステップＳ8）、「ＮＯ」と判断された場合はステップＳ9においてキーロック設定を要求する操作がなされたか否かが判断される。
【００２６】
一方、ステップＳ8において「ＹＥＳ」と判断された場合には新たに温度設定値が入力され（ステップＳ10）、該温度設定値の登録を要求する操作がなされたか否かが判断され（ステップＳ11）、この判断が「ＹＥＳ」の場合は上記ステップＳ9の処理に進み、「ＮＯ」の場合にはステップＳ8の処理が繰り返される。
【００２７】
ステップＳ9においてキーロック設定を要求する操作がなされていない場合、パスワードの変更要求が操作されたか否かが判断され（ステップＳ12）、この判断が「ＹＥＳ」の場合はステップＳ13〜ステップＳ16までの一連の処理すなわち上記ステップＳ3〜ステップＳ6までの処理と同様の処理がなされ、「ＮＯ」の場合には上記ステップＳ8の処理が繰り返される。
【００２８】
また、ステップＳ16においてパスワードの照合結果が正しくないと判断された場合はステップＳ8の処理が繰り返され、一方、照合結果が正しいと判断されて新しいパスワードが入力されると（ステップＳ17）、該新しいパスワードの登録要求の操作がなされたか否かが判断され（ステップＳ18）、この判断が「ＮＯ」の場合はステップＳ8の処理が繰り返され、「ＹＥＳ」の場合にはステップＳ19においてパスワードの更新処理がなされる。これによって、ＥＥＰＲＯＭ２４にはステップＳ17において入力された新しいパスワードが記憶保持され、続いてステップＳ8の処理が行われる。
【００２９】
なお、上記ステップＳ9においてキーロック設定を要求する操作がなされたと判断されるとステップＳ20〜ステップＳ23までの一連の処理すなわち上記ステップＳ3〜ステップＳ6までの処理と同様の処理がなされ、ステップＳ23において正規のパスワードが入力されたと判断された場合はステップＳ24の処理によって当該ハンダごて装置がキーロック設定（施錠）の状態とされる。この場合、当該ハンダごて装置は、数値入力スイッチ１９ａから入力された設定温度を受け付けない状態とされ、ワンチップマイコン１は以後上述したステップＳ2からの一連の処理を繰り返す。一方、ステップＳ23において正規のパスワードが入力されていないと判断された場合には上記ステップＳ12の処理が繰り返される。
【００３０】
さらに、上記ステップＳ2においてキーロック解除の要求操作がなされなかったと判断された場合あるいは上記ステップＳ6においてパスワードの照合結果が正しくないと判断された場合は、パスワードの変更要求が操作されたか否かが判断される（ステップＳ25）。ここで、この判断が「ＮＯ」の場合はステップＳ2の処理が繰り返され、「ＹＥＳ」の場合にはステップＳ26〜ステップＳ29までの一連の処理すなわち上記ステップＳ13〜ステップＳ16までのパスワードの入力から判定までの処理と同様の処理がなされる。
【００３１】
そして、ステップＳ29においてパスワードの照合結果が正しくないと判断された場合はステップＳ2の処理が繰り返され、パスワードの照合結果が正しいと判断されて新しいパスワードが入力されると（ステップＳ30）、該新しいパスワードの登録要求の操作がなされたか否かが判断される（ステップＳ31）。この判断が「ＮＯ」の場合はステップＳ30において新しいパスワードが入力されるまで待機する状態とされ、「ＹＥＳ」の場合にはステップＳ32のパスワードの更新処理がなされ、ＥＥＰＲＯＭ２４に新しいパスワードが記憶保持される。そして、ワンチップマイコン１は、処理をステップＳ2に移行させて電源が遮断されるまで上記各処理を繰り返す。
【００３２】
【発明の効果】
以上説明したように、本発明に係わるハンダごて装置は以下のような効果を奏する。
（１）温度設定値を保持する保持手段を具備するので、温度設定値を変更するためには該保持状態を解除する必要があるため勝手に温度設定値を変更することができない。したがって、当該ハンダごて装置をハンダ付け作業を行う製造ライン等に利用した場合、該製造ラインにおけるハンダ付け品質を向上させる以下のような効果を奏する。
（２）パスワードの照合によって温度設定値の保持および保持の解除がおこなわれるので、温度設定値の管理が徹底される。
（３）書き込みおよび消去可能なメモリにパスワードが記憶されるので、必要に応じてパスワードを変更することが可能である。
（４）温度設定値の保持状態を示す表示手段を具備するので、保持状態を容易に確認することができる。
（５）温度制御手段によって加熱手段を制御および温度設定値の保持および保持の解除が行われるので、構成が単純である。
【図面の簡単な説明】
【図１】本発明に係わるハンダごて装置の一実施形態を示す回路図である。
【図２】本発明に係わるハンダごて装置における操作パネルの構成例を示す平面図である。
【図３】本発明に係わるハンダごて装置の動作を示すフローチャートである。
【図４】本発明に係わるハンダごて装置の動作を示すフローチャートである。
【符号の説明】
１  ワンチップマイコン
２  こて先
３  ヒータ
４  温度センサ
５  電源トランス
６  サイリスタ
７  ゼロクロス検出器
８  電源回路
９、１１  増幅器
１０  マルチプレクサ
１２  サーミスタ
１３  Ａ／Ｄコンバータ
１４  スイッチ
１５  ブザー
１６  バッファアンプ
１７  操作パネル
１８  表示器
１９  操作スイッチ
２０  バッファ
２１  トランジスタ
２２  発振回路
２３  リセットスイッチ
２４  ＥＥＰＲＯＭ
【図１】
0003926407.tif 000002
【図２】
0003926407.tif 000003
【図３】
0003926407.tif 000004
【図４】
0003926407.tif 000005